(57)【要約】  携帯型の、バッテリーにより電力を供給される音声再生装置は、広く普及している。これら装置は、次第に内蔵式の再充電可能なバッテリーを有するようになってきている。これらバッテリーの再充電は長時間を要する。ユーザーは、完全に充電されたバッテリーにより供給可能な全ての電力量を常に必要とするわけではない。しかし、限られた量のマルチメディアデータオブジェクトの再生及び再現に充分な量だけを必要とする。現在の技術の装置では、何時、つまりどれだけの充電時間の後、バッテリーが一連のマルチメディアデータオブジェクトの再生に充分なエネルギーを有するかを決定することは困難である。従って、本発明は、バッテリーが選択されたマルチメディアデータオブジェクトを再生するために充分なエネルギーを有する充電の間及び／又は後に表示する表示器を提供する。
2007520983.tif 000002
【特許請求の範囲】
【請求項１】
マルチメディアデータオブジェクトを再生する再生回路を有する装置のバッテリー充電方法であって：
ａ）前記再生回路による再生を予定された少なくとも１つのマルチメディアデータオブジェクトへの少なくとも１つの参照のリストを提供する段階；
ｂ）前記リストで参照された前記マルチメディアデータオブジェクトの再生に必要なエネルギー量を決定する段階；
ｃ）前記バッテリーにより供給可能なエネルギー量を決定する段階；及び
ｄ）前記バッテリーにより供給可能なエネルギー量が前記リストで参照された前記マルチメディアデータオブジェクトの再生に必要なエネルギー量より少ない場合に：
（ｉ）前記バッテリーを充電し；及び
（ｉｉ）前記バッテリーのエネルギー量が前記リストで参照された前記マルチメディアデータオブジェクトの再生に必要なエネルギー量と等しい又は多い場合に、表示を提供する段階、を有する、バッテリー充電方法。
【請求項２】
段階ｄ）は、前記リストで参照された全てのマルチメディアデータオブジェクトを再生するために装置に電力を供給できるようバッテリーが充電される必要がある追加のエネルギー量を表示する下位段階を有する、請求項１記載の方法。
【請求項３】
前記追加のエネルギー量は、前記リストで参照された全てのマルチメディアデータオブジェクトを再生する充分なエネルギーを供給するために前記バッテリーが充電される必要がある時間に変換される、請求項２記載の方法。
【請求項４】
前記バッテリーの充電過程は、前記バッテリーのエネルギー量が予め定められた量と等しい時に終了する、請求項１記載の方法。
【請求項５】
前記予め定められた量は、前記リストで参照されるマルチメディアデータオブジェクトの再生に必要なエネルギー量と等しい、請求項４記載の方法。
【請求項６】
前記予め定められた量は、前記リストで参照された前記マルチメディアデータオブジェクトの再生に必要なエネルギー量に加え前記予め定められた量に比例する更に予め定められた量に等しい、請求項４記載の方法。
【請求項７】
マルチメディアデータオブジェクトを再生する再生回路を有する装置のバッテリー充電回路であって、前記充電回路は：
ａ）前記再生回路による再生を予定された少なくとも１つのマルチメディアデータオブジェクトへの少なくとも１つの参照のリストを処理し、前記リストで参照されたアイテムの再生に必要なエネルギー量を決定し；
ｂ）前記バッテリーにより供給可能なエネルギー量を決定し；及び
ｃ）前記バッテリーにより供給可能なエネルギー量が前記リストで参照された前記マルチメディアデータオブジェクトの再生に必要なエネルギー量より少ない場合に、
（ｉ）前記バッテリーを充電し；及び
（ｉｉ）前記バッテリーのエネルギー量が前記リストで参照された前記マルチメディアデータオブジェクトの再生に必要なエネルギー量と等しい又は多い場合に、表示器に信号を送信することにより表示を提供するよう構成された中央演算処理装置を有する、
バッテリー充電回路。
【請求項８】
マルチメディアデータオブジェクト再生装置であって、表示器、再生回路及びマルチメディアオブジェクトを前記再生部へ提供する手段、及び請求項７記載の回路を有する、マルチメディアデータオブジェクト再生装置。
【発明の詳細な説明】
【技術分野】
【０００１】
本発明は、マルチメディアデータオブジェクトを再生する再生回路を有する装置のバッテリー充電方法に関する。
【０００２】
本発明は、マルチメディアデータオブジェクトを再生する再生回路を有する装置のバッテリー充電回路に更に関する。
【０００３】
本発明はまた、前記回路を有するマルチメディアデータオブジェクト再生装置に関する。
【背景技術】
【０００４】
このような装置は、従来広く知られている。それらは、主にコンパクトディスク（登録商標）プレイヤー及びＭＰ３（ＭＰＥＧ１−レイヤー３エンコーディング）プレイヤーとして利用可能である。これら装置は、次第に内蔵式の再充電可能なバッテリーを設けるようになってきている。それらは、２２０ボルト（いくつかの地域では１１０ボルト）の主電源と接続された整流器を有する変圧器を用いて、又はパーソナルコンピュータのＵＳＢ接続を用いて、充電され得る。
【０００５】
バッテリーの再充電は、多くの時間、通常は最大で数時間を要する。装置のユーザーは、バッテリーが完全に再充電されるまで、いつも時間があるか又は我慢するとは限らない。一方、ユーザーは、ユーザーが好きな曲を途中でバッテリーを再充電することなく確実に再生及び再現できることを望むだろう。勿論、バッテリーが持ち運べるエネルギー量には上限があるが、好きな曲の再生及び再現がバッテリーにより供給可能な最大エネルギー量以下で行うことができる場合、バッテリーは好きな曲の再生及び再現のために完全に再充電される必要はない。
【０００６】
好きな曲の再生及び再現に充分なエネルギーがバッテリーにあることを本当に保証するため、ユーザーは常に、念のため、必要以上のエネルギーをバッテリーに取り込むだろう。ユーザーにより使われる充電時間は、しばしば試行錯誤の結果であり、充分なエネルギーがバッテリーにより供給されない又はバッテリーの再充電にかかる時間が長くユーザーの貴重な時間を浪費し得るため、ユーザーの不快を招く。
【発明の開示】
【発明が解決しようとする課題】
【０００７】
従って、本発明の目的は、ユーザーが厳密に必要以上に長くバッテリーを充電する必要がないよう、バッテリーの充電過程でユーザーにフィードバックを提供することである。
【課題を解決するための手段】
【０００８】
この目的を達成するため、本発明は、再生回路による再生を予定された少なくとも１つのマルチメディアデータオブジェクトへの少なくとも１つの参照のリストを提供する段階、前記リストで参照された前記マルチメディアデータオブジェクトの再生に必要なエネルギー量を決定する段階、バッテリーにより供給可能なエネルギー量を決定する段階、及び前記バッテリーにより供給可能なエネルギー量が前記リストで参照された前記マルチメディアデータオブジェクトの再生に必要なエネルギー量より少ない場合に、バッテリーを充電し、及びバッテリーのエネルギー量が前記リストで参照された前記マルチメディアデータオブジェクトの再生に必要なエネルギー量と等しい又は多い場合に、表示を提供する段階、を有する、方法を提供する。
【０００９】
このように、ユーザーは、バッテリーが選択された（好きな）マルチメディアデータオブジェクト又はリストのオブジェクトの再生に充分なエネルギーを供給できる時を直ちに知る。そして「念のため」バッテリーを過剰に再充電するための時間が浪費されない。更に、ユーザーが、バッテリーが全ての選択されたマルチメディアデータオブジェクトを再生する充分なエネルギーを供給可能なレベルまでバッテリーを再充電する時間が無く、バッテリーを再充電する電源を装置から取り外す場合、ユーザーは、全ての選択されたマルチメディアデータオブジェクトが再生可能でないことを予め知る。
【００１０】
本発明による方法の実施例では、最後の段階は、リストで参照された全てのマルチメディアデータオブジェクトを再生するために装置に電力を供給できるようバッテリーが充電される必要がある追加のエネルギー量を表示する下位段階を有する。
【００１１】
この実施例の利点は、ユーザーは、およそどれだけの選択されたマルチメディアデータオブジェクト又はオブジェクトがその時のバッテリーの利用可能なエネルギー量で再生できるかのフィードバックを提供されることである。
【００１２】
以上の実施例に基づく本発明による方法の別の実施例では、追加のエネルギー量は、リストで参照された全てのマルチメディアデータオブジェクトを再生する充分なエネルギーを供給するためにバッテリーが充電される必要がある時間に変換される。
【００１３】
この実施例の利点は、ユーザーは、バッテリーが選択されたマルチメディアデータオブジェクトを再生させるために充分なエネルギーを供給できるレベルまで充電されるまで、後どれだけの時間が残されているかを知ることである。ユーザーは、この時間を有用に使い、また充電の残り時間を使いながら、するべき行動を選択して良い。
【００１４】
本発明による方法の更に別の実施例では、バッテリーの充電過程は、バッテリーのエネルギー量が予め定められた量と等しくなった時に終了する。
【００１５】
以上の実施例に基づく本発明による方法の更に別の実施例では、予め定められた量は、リストで参照されたマルチメディアデータオブジェクトを再生する充分なエネルギー量と等しい。
【００１６】
この実施例の利点は、厳密に必要以上の電力が使われず、結果として電力消費を節約することである。
【００１７】
本発明による方法の更に別の実施例では、予め定められた量は、リストで参照されたマルチメディアデータオブジェクトの再生に必要なエネルギー量に加え前記予め定められた量に比例する更に予め定められた量に等しい。
【００１８】
この実施例の利点は、環境が悪化しバッテリーが最初に決定されたエネルギー量を提供できない場合も、選択されたマルチメディアデータオブジェクトの再生のために残された充分なエネルギーが存在することである。
【００１９】
本発明による回路は、マルチメディアデータオブジェクトを再生する再生回路を有する装置のバッテリー充電回路を有し、前記充電回路は、前記再生回路による再生を予定された少なくとも１つのマルチメディアデータオブジェクトへの少なくとも１つの参照のリストを処理し、前記リストで参照されたアイテムの再生に必要なエネルギー量を決定し、バッテリーにより供給可能なエネルギー量を決定し、及び前記バッテリーにより供給可能なエネルギー量が前記リストで参照された前記マルチメディアデータオブジェクトの再生に必要なエネルギー量より少ない場合に、バッテリーを充電し、及びバッテリーのエネルギー量が前記リストで参照された前記マルチメディアデータオブジェクトの再生に必要なエネルギー量と等しい又は多い場合に、表示器により表示を提供するよう構成された中央演算処理装置を有する。
【００２０】
本発明による装置は、以上のような回路、表示器、再生回路及びマルチメディアオブジェクトを再生部へ提供する手段を有する。
【発明を実施するための最良の形態】
【００２１】
本発明は、種々の図を用いより詳細に説明される。
【００２２】
図１に示される家庭用電子機器１００は、本発明による装置の実施例である。家庭用電子機器１００は、電子機器１００の種々の要素を制御する中央演算処理装置としてマイクロプロセッサー１０１、マルチメディアデータオブジェクトを格納するメモリーとしてハードディスクドライブ１０２、マルチメディアデータオブジェクトを再生する再生回路１０３、前記装置１００の状態情報を表示し及び再生されたマルチメディアデータオブジェクトを表示するディスプレイ１０４、再生される音情報を再現するスピーカー１０５、ユーザーに前記装置１００を制御させるユーザー入力部１０６、前記装置１００の種々の要素にエネルギーを供給し正しい動作を保証するバッテリー１０７、を有する。前記装置はまた、前記バッテリー１０７のエネルギー量を判定するバッテリーエネルギーモニター１０８及びエネルギー表示器１０９を有する。ハードディスクドライブ１０２の周りの破線は、本発明のこの実施例では、ハードディスクドライブ１０２は取り外し可能であることを示す。
【００２３】
破線はデータ転送を示し、実線はエネルギー転送を示す。簡単のため、斜線を有する実線は、正及び負の配線を示す。
【００２４】
ユーザーは、再生する（本願において再現を包含して良い）マルチメディアデータオブジェクトを、ユーザー入力部１０６を用い装置１００を制御することにより、選択できる。ユーザー入力信号は、マイクロコントローラー１０１へ供給される。このように、リスト１１０は、ディスプレイ１０４及びスピーカー１０５のような他の手段で提示されるために、メモリー１０２に格納され再生部１０３による再生を予定されたマルチメディアデータオブジェクトへの参照で形成される。リスト１１０は、ディスプレイ１０４で表示される。
【００２５】
装置１００は、バッテリー１０７により電力を供給されるので、装置１００に供給されるエネルギー量は無限ではない。これは、ハードディスク１０２に格納されたコンテンツの一部だけが、バッテリー１０７に蓄えられたエネルギー量で再生できることと同様であり得る。装置１００のユーザーは、全ての格納されたマルチメディアデータオブジェクトを再生するよう選択することは滅多にないだろうが、４０ＧＢのハードディスクは、６００時間以上の音楽を格納できる。おそらく最大限でもその１０％が、便利な容量のバッテリーにより供給されるエネルギー量で再生できる。４０ＧＢが格納するビデオは遙かに短い時間だが、ビデオを正しく再生するにはより多くのエネルギーが必要とされる。
【００２６】
選択されたマルチメディアデータオブジェクトを完全に再生し、及び選択されたマルチメディアデータオブジェクト、つまり各マルチメディアデータオブジェクト又はそれらの全てのいずれかを（連続−音楽又はビデオの場合に最も望ましい、又は平行−静止画データの場合に最も望ましい、の何れかで）完全に再生するために充分なエネルギーがバッテリーに残すことが望ましい。マルチメディアデータオブジェクトがまだ完全に再生されていない間に、バッテリー１０７がそれ以上残されたエネルギーを有さない場合、ユーザーは、マルチメディアデータオブジェクトの核心部分を逃し得る。これは、非常に不快である。しかしながら、また、マルチメディアデータオブジェクトの明らかに核心でない、微細な部分を逃すことは、例えばクラシックコンサートのように、場合によっては、不快になり得る。
【００２７】
バッテリー１０７の再充電及び通常のバッテリーの充電は、一般的に多くの時間、最大で数時間を要する。ユーザーは、常にバッテリー１０７を完全に再充電するために充分な時間を有していないかも知れないが、如何なる場合も選択したマルチメディアデータオブジェクトの再生に充分なエネルギーを有することを望むだろう。
【００２８】
ユーザーが再生するマルチメディアデータオブジェクトを選択する時、マイクロプロセッサー１０１は、選択されたマルチメディアデータオブジェクトの再生に必要なエネルギー量を決定し、バッテリーエネルギーモニター１０８は、バッテリーに残されているエネルギー量を判定する。両方のエネルギー量は、マイクロプロセッサー１０１により比較される。バッテリー１０７に残されているエネルギー量が、選択されたマルチメディアデータオブジェクトの再生に必要なエネルギー量と等しい又は多い場合、データオブジェクトは再生される。
【００２９】
バッテリー１０７に残されているエネルギー量が、マルチメディアデータオブジェクトの再生に充分でない場合、マルチメディアデータオブジェクトは再生されない。また、マルチメディアデータオブジェクトの再生に依然として必要とされるエネルギー量は、エネルギー表示器１０９により表示もされる。本発明の別の実施例では、バッテリー１０７のエネルギー量が選択されたマルチメディアデータオブジェクトの再生に不充分な場合、マルチメディアデータオブジェクトは再生されるが、またマルチメディアデータオブジェクトの再生に依然として必要とされるエネルギー量は、エネルギー表示器１０９により表示される。
【００３０】
この表示は、図１のエネルギー表示器１０９で帯１２０により提供され得る。バッテリー１０７の充電中に、帯の長さが伸びる。帯１２０の長さが枠１２１の長さに等しい時、バッテリーは再生するよう選択されたマルチメディアデータオブジェクトの再生に充分な電力を取り込んでいる。本発明の有利な実施例では、エネルギー量は、バッテリー１０７が選択されたマルチメディアデータオブジェクトを正しく再生するために充分なエネルギーをバッテリー１０７に提供するために充電されなければならない時間量に変換される。エネルギー表示器１０９は、ディスプレイ１０４を有して良い。
【００３１】
選択されたマルチメディアデータオブジェクトの再生に必要とされる追加のエネルギー量を表示する種々の他の方法は、本発明の範囲から逸脱することなく、本発明による方法の実施例で利用されて良い。
【００３２】
本発明の別の複雑さの少ない、しかしより簡単な製品の実施例では、再生のために選択されたマルチメディアデータオブジェクトの再生に依然として必要とされる追加のエネルギー量の表示は提供されないが、ＬＥＤ（発光ダイオード）のような光源のみは、バッテリー１０７の再充電の間、バッテリーのエネルギー量が選択されたマルチメディアデータオブジェクトの再生に必要なエネルギー量に達した時、オン又はオフに切り替えられる。表示は、ディスプレイ１０４で視覚化されて良い。本発明の有利な実施例では、バッテリー１０７の充電過程は、バッテリー１０７のエネルギー量がリスト１１０で参照されるマルチメディアデータオブジェクト、つまり選択されたマルチメディアデータオブジェクトの再生に必要とされるエネルギー量と等しい時に終了する。
【００３３】
選択されたマルチメディアデータオブジェクトの再生に必要とされるエネルギー量の決定では、必要とされるエネルギー量を決定するために種々のパラメーターが考慮されて良い。パラメーターの例として、ファイルサイズ、符号化（又は復号化）アルゴリズム、データが符号化されているビットレート、データの又はデータが再現される音量又は輝度がある。しかし、ハードディスク１０２におけるデータ分割比、装置１００の種々の要素の平均エネルギー損失及び周囲温度のような記憶装置又はハードウェアのパラメーターもまた、考慮されて良い。
【００３４】
バッテリー１０７に残されたエネルギー量を決定する方法は、一般に従来既知である。また、種々のパラメーターが考慮されて良い。例えば周囲温度及びバッテリーから引き出される平均電流（の期待値）である。このようなパラメーターは、バッテリー１０７に残されたエネルギー量と別に、バッテリーが供給可能なエネルギー量に影響するためである。
【００３５】
環境パラメーター、例えば周囲温度の変化により、最初にバッテリーにより供給可能だったエネルギー量は、結局、バッテリーにより供給できない場合がある。従って、本発明の実施例によると、バッテリーエネルギーモニター１０８は、規則的間隔でバッテリー１０７に残されたエネルギー量を監視する。装置１００の動作中に、全てのマルチメディアデータオブジェクトが図２に図示された方法により最初に選択されなかったと分かった場合、マルチメディアデータオブジェクトへの他の参照は、選択解除又はリスト１１０から削除される。
【００３６】
安全のため、追加のエネルギー量は、本発明の有利な実施例において、バッテリーに取り込まれ、環境パラメーターの悪化の影響を低減する。この追加のエネルギー量は、リスト１１０で参照されるマルチメディアデータオブジェクトの再生に必要とされるエネルギー量に比例して良い。
【実施例】
【００３７】
図２は、本発明による装置の別の実施例として別の装置２００を示す。明確化のため、装置１００に存在し別の装置２００にも存在する要素は、同一の参照符号で参照される。更なる装置２００では、ハードディスクドライブ１０２は、再生のためのマルチメディアデータオブジェクトを受信する通信部２０２により置き換えられている。本発明による装置のこの実施例は、以上に説明された本発明による方法の実施例をより重要にする。なぜなら、現在の通信部で消費されるエネルギー量は、（アンテナのような）マルチメディアデータオブジェクトの情報源から更なる装置２００の距離と共に変化するからである。
【００３８】
説明された実施例では、マイクロプロセッサー１０１は、本発明による回路の実施例である。本発明による回路はまた、複数の集積回路及び／又は別々の要素で実施されても良い。
【００３９】
本発明の種々の実施例を説明したが、当業者には、本発明の基本から逸脱することなく本発明の種々の実施例が可能であることが明らかだろう。それらの実施例及び他の実施例は、以上に説明されたように実施例を置き換えることができる。
【００４０】
纏めると、本発明は以下に関連する。
【００４１】
携帯型の、バッテリーにより電力を供給される音声再生装置は、広く普及している。これら装置は、次第に内蔵式の再充電可能なバッテリーを有するようになってきている。これらバッテリーの再充電には長時間を要する。ユーザーは、完全に充電されたバッテリーにより供給可能な完全な電力量を常に必要とするわけではない。しかし、限られた量のマルチメディアデータオブジェクトの再生及び再現に充分な量だけを必要とする。現在の技術の装置では、何時、つまりどれだけの充電時間の後、バッテリーが一連のマルチメディアデータオブジェクトの再生に充分なエネルギーを有するかを決定することは困難である。従って、本発明は、バッテリーが選択されたマルチメディアデータオブジェクトを再生するために充分なエネルギーを有する充電の間及び／又は後に表示する表示器を提供する。
【図面の簡単な説明】
【００４２】
【図１】本発明による装置の第１の実施例を示す。
【図２】本発明による装置の第２の実施例を示す。
【図１】
2007520983.tif 000003
【図２】
2007520983.tif 000004
【国際調査報告】
2007520983.tif 000005
2007520983.tif 000006